Podtech/llm-jp-corpus-v4-ja_patent huggingface dataset:
(57)【要約】【課題】男子が小便時に便器や自らの衣服を汚さないための装置の提供。【解決手段】本考案は、男子トイレの周辺に設置する小便補助器具において、便器奥面上部に頭部を圧接保持し、排尿に於いて便器垂直上部から排尿を可能とする器具である。男子小便器の便器が設置してある壁にクッションを設置し、使用者がクッションにもたれかかる様にして頭、両脚による３点支持で安定を増し、便器真上から小便が出来るため、排尿時圧力による放物線などを意識せずとも便器や衣服を汚さずに用が足すことができる。【選択図】図１
0003158374.tif 000002
【実用新案登録請求の範囲】
【請求項１】
男子トイレの周辺に設置する小便補助器具において、便器奥面上部に頭部を圧接保持し、排尿に於いて便器垂直上部から排尿を可能とする器具。
【考案の詳細な説明】
【技術分野】
【０００１】
本考案は、小便補助器具に関するものであり、主に小便の飛散による便器の汚れを防止する事に関するものである。
【背景技術】
【０００２】
小便用補助装置としては特開2000-14602男性トイレ用リラックスシートや特開平6-105763トイレ用補助器具が知られている。
男性トイレ用リラックスシートは小便器に設置するシート（椅子の様なもの）であり、用を足す時に尿の行方を小便器内へ収まるように適正位置に導くための発明であった。
トイレ用補助器具は、半身不随者の小便動作の補助するための器具であり、器具を脇で抱える様に支持できるポイントを作り、安定して用を足すための補助となる装置であった。
【０００３】
しかし、これら装置は大きいため持ち運ぶことが困難であったり、設置するにしても健常者には邪魔な物としてなかなか思うように設置する事ができなかったりする。
また、これらは老人や体の不自由な人用の補助器具であり、健常者用の小便補助器具ではなかった。
【先行技術文献】
【特許文献】
【０００４】
【特許文献１】特開２０００−１４６０２号公報
【特許文献２】特開平６−１０５７６３号公報
【考案の概要】
【考案が解決しようとする課題】
【０００５】
男子小便は、初流放尿速と終流放尿速で放物線に差異がある。個人差はあるものの小便の初速と終速とでは大きく速度差が発生している。排尿者は初速小便がどこへ向かって進んでいくか明確ではなく予測しにくいため便器を汚すことが多く、終速小便では圧力の無くなった排出小便が衣服を汚してしまうといった課題がある。
【課題を解決するための手段】
【０００６】
上記課題を解決するべく本考案では、トイレ内において、便器よりも奥の壁に頭を支持するクッション等を備え、立ち位置から壁にもたれかかるような形で両脚と頭の３点支持を行う事により安定性を増すこことともに、便器の真上から排尿できる環境を提供し、便器・衣服を汚すことから防ぐことを目的とする。
【０００７】
便器の真上から排尿できることによる利点は、放尿放物線による狙いを定める排尿より、上から落とす排尿が便器周辺を汚しにくくできるという点にある。
【０００８】
また、本考案を列車や飛行機等のトイレに設置し、３点支持がもたらす安定した排尿姿勢が揺れの激しい乗り物内でも便器外へお漏らしすることを防止することができる。
【実施例】
【０００９】
以下図を用いて本考案の使用例を説明する。
本考案の立ち補助装置１は、使用者１０が便器２で用を足す時に、クッション３に使用者１０の額部を当て、両足をストッパー４に置いて使用する。
使用時はクッション３を自分の身長に見合った高さに調節し、ストッパー４に足をかけ、便器２を上から見下ろすような形で体を固定する。
クッション３は紐等で上から吊るしてあり、またはクッション３の位置を調節できる様な調節機械を用いてもよい。
ストッパー４は、足の接地面に滑り止めを用いる。
【図面の簡単な説明】
【００１０】
【図１】本考案の実施例の一つ
【符号の説明】
【００１１】
１    立ち補助装置
２    便器
３    クッション
４    ストッパー
１０  使用者
【図１】
0003158374.tif 000003
(57)【要約】      （修正有）【課題】デッドスペースを利用して、デザイン的にも多様性を持ち、使用する者が身長差を苦にせずに、安心、かつ安全に利用できる、手摺を提供する。【解決手段】両端に、階段の角部分の壁面に縦に取り付けるための部品を有する。【選択図】図１
0003158387.tif 000002
【実用新案登録請求の範囲】
【請求項１】
階段の人の動線に影響することのない場所に、縦に配置し、デッドスペースを利用することにより、階段の昇降に支障がなく、利用者が身長の差に影響されないで、安全に、かつ安心して利用できる手摺。
【考案の詳細な説明】
【技術分野】
【０００１】  本考案は、階段の手摺に関するものである。
【背景技術】
【０００２】  従来、階段の上り下りには、危険を伴う為に、手摺を利用し、その危険を軽減してきた。しかし、その手摺は、階段の壁面から突き出しているだけでなく、高さも、一定のままで、利用者にしてみれば、邪魔であったり、身長の差も考えられていないために、つかみずらく、使いやすさに、難点があった。
【考案の概要】
【考案が解決しようとする課題】
【０００３】  本考案は、そのような欠点を除く為になされたもので、簡単かつ安易な構造にして、利用者の邪魔にならず、慎重差をも苦にしない手摺を提供しようとするものである。
【課題を解決するための手段】
【０００４】  それを図について説明すれば。手摺−２−の、上下の端部に、階段角部に取り付けるための部品、取付金具−３−、を、取り付け穴、−４−によって取り付ける。
【考案の効果】
【０００５】  利用者は、その手摺につかまり、階段を昇降する。手摺は、上下に長い為に、そのデザイン性を無視しても、利用者の身長などに、影響されずに、手摺につかまり、安心と、安全を得ながら、昇降できる。
【図面の簡単な説明】
【０００６】
【図１】は、本考案の平面図である。
【図２】は、本考案の斜視図である。
【考案を実施するための形態】
【０００７】    本考案は、屋内階段での使用を意図して説明をしたものであるが、コーナーやデッドスペースを有する階段であれば、屋内屋外を問わず、利用できるものである。
【実施例】
【０００８】  本考案は、横向き、あるいは斜めに配置された、従来の手摺に比べれば、その、縦に使われた、個性的なデザインは、その、存在意義を主張するものであるが、その安心と安全は、何にも換えがたいものである。
【符号の説明】
【００１０】  １    階段      ２    手摺      ３    取り付け具      ４    取り付け穴
５    階段に於ける人の動線
【図１】
0003158387.tif 000003
【図２】
0003158387.tif 000004
【手続補正書】
【提出日】平成22年1月17日(2010.1.17)
【手続補正２】
【補正対象書類名】実用新案登録請求の範囲
【補正対象項目名】全文
【補正方法】変更
【補正の内容】
【実用新案登録請求の範囲】
【請求項１】
両端に、階段の角の部分の壁面に取り付けるための部品を有し、その部品によって階段に縦に取り付ける手摺。
(57)【要約】      （修正有）【課題】上衣や下衣のポケットを、バッグにしたり、ベルトに取りつけたりすることができるように、脱着したり合体することが可能なポケットを提供する。【解決手段】バッグの厚みの部分をファスナーやマジックテープ（登録商標）等で分割できるようにして、衣類のポケット位置のドット釦等とバッグ部分のドット釦等の寸法を合わせることによって、バッグを分割して装着した際に、本来のバッグの厚みも半減され、それぞれのバッグ内側が衣類の機能ポケットとして有効になり、機能的なデザインパッチポケットに見えるようにしている。【選択図】図３
0003158390.tif 000002
【実用新案登録請求の範囲】
【請求項１】
上衣や下衣に脱着可能で、それらを取り外した時にファスナー等で合体させ、バッグとしての機能を有するポケット。
【考案の詳細な説明】
【技術分野】
【０００１】
本考案は、上衣や下衣のポケットを、バッグにしたり、ベルトに取りつけたりすることができるように、脱着したり合体することが可能なポケットに関するものである。
【背景技術】
【０００２】
従来のバッグは、そのままの状態で、手に下げたり、肩紐でショルダーにしたり、そのままベルトにつけたりして、衣服のポケットとは、全く別のものである。
【考案の概要】
【考案が解決しようとする課題】
【０００３】
バッグのまま装着することによって、その膨らみが、運動の妨げにならない様に、また、分割する事によって、より有効なポケット機能を作り出すことを目的とする。
【課題を解決するための手段】
【０００４】
本考案は、バッグの厚みの部分をファスナーやマジックテープ等で分割できるようにして、衣類のポケット位置のドット釦等とバッグ部分のドット釦等の寸法を合わせることによって、バッグを分割して装着した際に、本来のバッグの厚みも半減され、それぞれのバッグ内側が衣類の機能ポケットとして有効になり、機能的なデザインパッチポケットに見えるように課題を解決している。
【考案の効果】
【０００５】
バッグの半分をドット釦等で留められた固定ポケットして使うことによって、バッグ状態のまま手に持ったり、肩紐等でぶら下げる必要もなく、さらにポケットの左右交換も可能となり、右利き左利きの利便性もあり、スポーツ・レジャーでより快適な活動が可能になる。
【図面の簡単な説明】
【０００６】
【図１】バッグの外観
【図２】バッグでベルト装着時
【図３】バッグの内側分割例
【図４】バッグを分割し、下衣に装着した例
【図５】デタッチャブル  バッグ  ポケットを外した例
【図６】デタッチャブル  バッグ  ポケットのブルゾン例
【考案を実施するための形態】
【０００７】
それぞれの用途に合わせたポケットデザインを施したものを、二枚用意してそれぞれにマチを付けて、そのマチ部分をファスナーで合体させることによって、その二枚を一つのバッグにすることができる。
【実施例】
【０００８】
以下、添付図面に従って実施例を説明する。図1は、ポケットパーツ二つを合体させたいわゆるバッグの状態で、手に提げたりや図２のようにウェストポーチのようにベルト装着可能なループなどが付けられる。
【０００９】
図３は、バッグのインナーであり、ウェアに取り付けられるポケットデザインの例で、たとえば、ゴルフ用には、ボール・ティ大小・マーカー・スコアカード・ペン等を入れるポケットをそれぞれ左右に配するなど、目的に応じて細かいポケットをデザインすることが可能であり、マチ部分にドット釦を打つことによって、ウェアに装着した際により立体的にポケットの膨らみを出すことができる。
【００１０】
図４は、二つに分割したそれぞれを左右の部分に装着した図で、図３のようにドット釦の位置を左右対称にしてあるために、この図のように右側にボールのポケットがあるものを装着したり、左側に装着したりというように、右利き左利きの方用に左右を自由に装着することが可能である。
【００１１】
図５は、ポケットを外した状態の図で、図３と同様の位置にドット釦の雌部分を打ち、ドレス系のカーゴパンツのようにデザインされている。
【００１２】
図６は、デタッチャブル  バッグ  ポケットを使ったブルゾン例であり、いろんなアイテムでの使用が可能である。
【産業上の利用可能性】
【００１３】
本考案は、パンツやアウター全般に使用可能で、取り付け位置やポケット内を目的やデザインで変化させることができ、スポーツやカジュアルライフ全般に、より快適な利便性を提供できる可能性を有している。
【図１】
0003158390.tif 000003
【図２】
0003158390.tif 000004
【図３】
0003158390.tif 000005
【図４】
0003158390.tif 000006
【図５】
0003158390.tif 000007
【図６】
0003158390.tif 000008
【手続補正書】
【提出日】平成22年1月13日(2010.1.13)
【手続補正１】
【補正対象書類名】明細書
【補正対象項目名】０００４
【補正方法】変更
【補正の内容】
【０００４】  本考案は、バッグの厚みの部分をファスナーやマジックテープ（登録商標）等で分割できるようにして、衣類のポケット位置のドット釦等とバッグ部分のドット釦等の寸法を合わせることによって、バッグを分割して装着した際に、本来のバッグの厚みも半減され、それぞれのバッグ内側が衣類の機能ポケットとして有効になり、機能的なデザインパッチポケットに見えるように課題を解決している。
【手続補正２】
【補正対象書類名】実用新案登録請求の範囲
【補正対象項目名】全文
【補正方法】変更
【補正の内容】
【実用新案登録請求の範囲】
【請求項１】
上衣や下衣のポケットを釦で脱着可能にして、それらを取り外した時に、それぞれのポケット端につけられた接合手段で合体させることによって、バッグとしての機能を有するポケット。
(57)【要約】      （修正有）【課題】従来の電動歯ブラシの真っすぐになっている歯ブラシでは、磨きにくい歯の裏側を磨きやすくするとともに、歯を２本から数本同時に早く磨く電動歯ブラシを提供する。【解決手段】電動歯ブラシの先の部分を二つにし、それをそれぞれ歯の方に向けて曲げて歯を裏側、表側から挟むようにし、さらに歯の並びの形にあわせＵ字型に長くし、歯を２本から数本同時にきれいに磨けるようにするものである。【選択図】図１
0003158382.tif 000002
【実用新案登録請求の範囲】
【請求項１】
電動歯ブラシの先の部分を二つにし、それをそれぞれ歯の方に向けて曲げて歯を裏側、表側から挟み、歯を裏側、表側同時にみがくようにする。
【請求項２】
歯ブラシを、歯の並びの形にあわせてＵ字型に長くして、２本又は数本同時に磨くようにする。
【考案の詳細な説明】
【技術分野】
【０００１】  本考案は、歯を電動により磨くために関する。
【背景技術】
【０００２】  従来の電動歯ブラシは、真っすぐになっていて使用しにくい。
【考案の概要】
【考案が解決しようとする課題】
【０００３】  従来の電動歯ブラシでは、歯の裏側は磨きにくく、又歯を裏側、表側を１本づつみがくため、磨くのに時間がかかる。
【課題を解決するための手段】
【０００４】  本考案は、電動歯ブラシの先の部分を二つにし、それをそれぞれ歯のほうに向けて曲げて、歯を裏側、表側両方から挟むようにし、さらに歯の並びの形にあわせてＵ字型に長くし、２本又は数本同時に磨くものである。
【考案の効果】
【０００５】  本考案により、歯を早く、さらに歯の裏側もきれいに磨けるものである。
【図面の簡単な説明】
【０００６】
【図１】本考案に係る電動歯ブラシの断面図である。
【図２】本考案に係る電動歯ブラシを上から見た図である。
【図３】本考案に係る電動歯ブラシを下から見た図である。
【考案を実施するための形態】
【０００７】  図１のアは電気振動機である。
【０００８】  図２のイの矢印の方に向けて開いて、図２のウの方に向けて歯を挟んで磨く。
【符号の説明】
【０００９】  ア  電気振動機
イ  矢印
ウ  矢印
【図１】
0003158382.tif 000003
【図２】
0003158382.tif 000004
【図３】
0003158382.tif 000005
【手続補正書】
【提出日】平成22年1月14日(2010.1.14)
【手続補正１】
【補正対象書類名】実用新案登録請求の範囲
【補正対象項目名】全文
【補正方法】変更
【補正の内容】
【実用新案登録請求の範囲】
【請求項１】
電動歯ブラシの先の部分を二つにし、それをそれぞれ歯の裏側、表側に向けて曲げて歯を裏側、表側から挟める形にした電動歯ブラシ。
(57)【要約】 【課題】手のひら内でころがしても強い刺激によって痛さを感じることなく、穏やかに手のひらをマッサージする新規な手のマッサージ具を提供する。【解決手段】手のひらに握れる大きさの球体１を有し、この球体１の半径より僅かに大きい内寸法の中空の半球体２であって、該半球体２が上記球体１を半球体２内で回動可能に保持してあることを特徴とする。【選択図】図２
0003158332.tif 000002
【実用新案登録請求の範囲】
【請求項１】
手のひらに握れる大きさの球体を有し、この球体の半径より僅かに大きい内寸法の中空の半球体であって、該半球体が上記球体を半球体内で回動可能に保持してあることを特徴とする手のマッサージ具。
【請求項２】
上記球体が無垢の球体である上記請求項１に記載の手のマッサージ具。
【請求項３】
上記球体が中空の球体である上記請求項１に記載の手のマッサージ具。
【請求項４】
上記球体及び半球体が合成樹脂製である上記請求項１乃至３の何れかに記載の手のマッサージ具。
【考案の詳細な説明】
【技術分野】
【０００１】
本考案は、手のひらに握って簡単に手のマッサージやリハビリが行える手のマッサージ具に関する。
【背景技術】
【０００２】
従来から人が自分の手のひらをマッサージするのにくるみの実を２ヶ握って、手のひら内でこのくるみの実をころがし、手のひらのツボ等をマッサージすることが知られている。
また、手のひらで握って手のひら内でころがすことができる球体状であって、その表面に凹凸状部を設けたもの等が知られている。
【考案の概要】
【考案が解決しようとする課題】
【０００３】
上記公知の手のひらに握って手のひら内でころがしてマッサージをする公知の球状体は、その表面の凹凸状部により手のひらのツボ等を刺激して効果があるが、時として球状体表面の凹凸部が当たる刺激が強すぎて痛さを感じてしまうという課題がある。
本考案は、上記課題に鑑み、手のひら内でころがしても強い刺激によって痛さを感じることなく、穏やかに手のひらをマッサージしたりリハビリしたりする新規な手のマッサージ具を提供するものである。
【課題を解決するための手段】
【０００４】
そのために、本考案の手のマッサージ具は、手のひらに握れる大きさの球体を有し、この球体の半径より僅かに大きい内寸法の中空の半球体であって、該半球体が上記球体を半球体内で回動可能に保持してあることを特徴とする。
上記球体が無垢の球体であるとよい。
上記球体が中空の球体であるとよい。
上記球体及び半球体が合成樹脂製であるとよい。  
【考案の効果】
【０００５】
本考案の手のマッサージ具は、手のひらに握れる大きさの球体を有し、この球体の半径より僅かに大きい内寸法の中空の半球体であって、該半球体が上記球体を半球体内で回動可能に保持してあるから、これを手に握ってころがすことにより、手のひらのマッサージができ、遊びながら手のリハビリ効果があり、脳神経を刺激して緊張をほぐし、リラックスできる効果があり、脳梗塞などのリハビリ効果がある。特に半球体の内側に球体を保持してあり、この球体が半球体内で回動するから、穏やかな刺激によりマッサージができ、表面に突起等がないから刺激が強すぎて痛みを感じることのない効果がある。
上記球体が無垢の球体であるから、ある程度の重さを感じてマッサージしているという実感がもてる。
上記球体が中空の球体であるから、きわめて軽量で疲労なくマッサージができるという利点がある。
上記球体及び半球体が合成樹脂製であるから、低コストに提供できる利点がある。  
【図面の簡単な説明】
【０００６】
【図１】本考案手のマッサージ具の正面図である。
【図２】同じく断面図である。
【考案を実施するための最良の形態】
【０００７】
以下本考案の実施の形態について、図面に基づいて詳述する。
図中符号１が、手のひらに握れる大きさの球体であり、この球体１は、合成樹脂材により形成してある。この球体１は、無垢であってもよいし、中空体であってもよい。次に、図中符号２が上記球体１の半径より僅かに大きい内寸法を有する中空の半球体であり、この半球体２も合成樹脂材により成形してある。この半球体２に上記球体１を内側に包み込む構成にしてあり、しかも、この球体１が半球体２内で回動可能に保持されている。現実には球体１を半球体２の開口部３から押し込んで組み込むようにしてある。そのために、上記半球体２は真の半球体より僅かに大きい半球体にしてあり、この半球体２から球体１が容易に抜け出さない寸法にしてある。  
【０００８】
上記の構成からなる本考案手のマッサージ具は、手のひらに握って、手の中でころがして遊ぶようにして手のひらをマッサージする。その際、球体１が半球体２の中でころがり回転し、このころがりが手のひらのマッサージ効果を上げ、特に球体１及び半球体２の表面に突起を有さないから、手のひらに強い刺激を与えることなく、穏やかなマッサージができる利点がある。
【符号の説明】
【０００９】
１  球体
２  半球体
３  開口部
【図１】
0003158332.tif 000003
【図２】
0003158332.tif 000004
(57)【要約】      （修正有）【課題】車椅子に乗ったままシャンプー台でシャンプーが出来る姿勢になるシャンプー補助台を提供する。【解決手段】該補助台は耐久性に優れた木材で製作し、前方に台形状のスロープを設ける。車椅子を後ろから補助台に載せていくと、前輪が台形の位置に、後輪がストッパーの位置に止まり、車椅子が斜めに傾きシャンプー台の位置に、頭部がはまりシャンプーが出来る。車椅子の種類によって車輪の大きさが異なる時は台形頂部に高さ調節の板を噛ませる【選択図】図２
0003158368.tif 000002
【実用新案登録請求の範囲】
【請求項１】
車椅子に乗ったままシャンプー台でシャンプー出来る補助台
【考案の詳細な説明】
【技術分野】
【０００１】  本考案は車椅子に乗ったままシャンプー台でシャンプーが出来る補助台である。
【背景技術】
【０００２】  理美容室において以前はシャンプー椅子併用のセット椅子に乗り換えてシャンプーするか車椅子の方はシャンプーは出来なかった。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  以前はシャンプーと言うより理美容の技術をスムーズに受けられなかったが、この台で普通のお客様と同じように通常のシャンプー等ができる。
【課題を解決するための手段】
【０００６】  本考案は通常のシャンプー台を取り除き補助台を置いて車椅子を載せる事でシャンプーが出来る姿勢となり今まで車椅子では出来なかったシャンプーが出来るように解決している。【０００７】  車椅子の種類によって車輪の大きさが違いシャンプーが出来る姿勢にならないように車輪に合わせて高さを調節する板を噛ませる事で問題を解決している。
【考案の効果】
【０００８】  上述の様に本考案により車椅子のままシャンプーが出来る事により理美容の技術が受けられ精神的にも肉体的にも満足して頂ける。
【図面の簡単な説明】
【０００９】
【図１】本考案の車椅子専用補助台の一実施例を示す正面図である。
【図２】本補助台の断面図
【考案を実施するための形態】
【００１０】  補助台のスロープは前方が台形の形をしており、車椅子を後ろから補助台に載せていくと、前輪が台形の位置に、後輪がストッパーの位置に止まり、車椅子が斜めに傾きシャンプーできる姿勢となる。
【実施例】
【００１１】以下、添付図面に従って一実施例を説明する。本体は耐久性に優れた木材による補助台で、車椅子の前輪が２ｂと３ｂに、後輪は４に止まると車椅子は傾きシャンプー台の位置に頭部がはまりシャンプーが出来る。車椅子の種類によって車輪の大きさが異なる時は２ｂと３ｂに高さ調節の板を噛ませる。
【符号の説明】
【００１２】１  補助台本体
２  スロープＡ
３  スロープＢ
４  ストッパー
【図１】
0003158368.tif 000003
【図２】
0003158368.tif 000004
【手続補正書】
【提出日】平成21年9月7日(2009.9.7)
【手続補正１】
【補正対象書類名】実用新案登録請求の範囲
【補正対象項目名】全文
【補正方法】変更
【補正の内容】
【実用新案登録請求の範囲】
【請求項１】
補助台本体と台形部とストッパとからなるシャンプー補助台であって、車椅子の前輪を前記台形部に乗せ、前記車椅子の後輪をストッパの位置に止めたときに、前記車椅子が斜めに傾くように構成したことを特徴とする前記シャンプー補助台。
【手続補正書】
【提出日】平成21年11月30日(2009.11.30)
【手続補正１】
【補正対象書類名】実用新案登録請求の範囲
【補正対象項目名】全文
【補正方法】変更
【補正の内容】
【実用新案登録請求の範囲】
【請求項１】
補助台本体と台形部とストッパとからなるシャンプー補助台であって、車椅子の前輪を前記台形部に乗せ、前記車椅子の後輪をストッパの位置に止めたときに、前記車椅子が斜めに傾くように構成したことを特徴とするシャンプー補助台。
(57)【要約】      （修正有）【課題】フィンの管理を容易にし、フィンのデザインや形状の芸術性を表にだすことができる、サーフィン用フィンスタンドを提供する。【解決手段】サーフボードに取り付けられるフィンと、このフィンを挟持すると共に載置される左右の長い挟持体とこの左右の挟持体を貫通して締め付ける締付具とで成したことを特徴としたものである。【選択図】図１
0003158315.tif 000002
【実用新案登録請求の範囲】
【請求項１】
サーフィンに取り付けられるフィンと、このフィンを挟持すると共に載置される左右の長い挟持体と、この左右の挟持体をそれぞれに設けた貫通孔に貫通して締め付ける締付具とからなることを特徴とするサーフィン用フィンスタンド。
【請求項２】
前記挟持体は、複数平行に配置され得ることを特徴とする請求項１記載のサーフィン用フィンスタンド。
【請求項３】
前記挟持体のフィン接触面に弾性部材を設けたことを特徴とする請求項１又は２記載のサーフィン用フィンスタンド。
【請求項４】
前記貫通孔は、前記挟持体の両端近傍に複数設けられていることを特徴とする請求項１、２又は３記載のサーフィン用フィンスタンド。                
【考案の詳細な説明】
【技術分野】
【０００１】
本考案はサーフボードに付属するフィン、所謂、舵を収納保護と展示（ディスプレイ）のためフィンスタンドに関するものである。
【背景技術】
【０００２】
従来この種のスタンドは考案されていない。そのため、サーフィンボードからはずされたフィンの収納場所が固定されなかった。
【考案の概要】
【考案が解決しようとする課題】
【０００３】
一般的にサーフボードを保護収納するためのボードケースがありフィンはボードケースの中に収納しているためフィンが見えないためフィンのデザインや形状の芸術性が無駄になっている問題があった。
【課題を解決するための手段】
【０００４】
本考案はサーフィンに取り付けられるフィンと、このフィンを挟持すると共に載置される左右の長い挟持体と、この左右の挟持体を貫通して締め付ける締付具とで成したことを特徴としたものである。
【０００５】
次に本考案は前記挟持体は、複数平行に配され得ることを特徴とする請求項２記載のサーフィン用フィンスタンド。
【０００６】
前記挟持体のフィン接触面に弾性部材を設けたことを特徴とする請求項１又は２記載のサーフィン用フィンスタンド。
【考案の効果】
【０００７】
請求項１により、フィンの収納場所が特定されるので、多数のフィンの管理が容易となり、かつフィンのデザインや芸術せいを表にだすことができる。
【０００８】
請求項３により、フィンを傷つけることなくディスプレイできる
【０００９】
請求項２により、フィンを何枚も増やしていく事ができる。
【考案を実施するための形態】
【００１０】
以下本考案を実地例として揚げた図面に基いて説明すると、図１はサーフィン用フィンスタンドの斜視図を示し、サーフィンに取り付けられるフィンFを左右の長い挟持体にて挟持している。
【００１１】
この挟持体１は、木、プラスティック。アルミ材等にて形成される具体的には図４に示す如く左右の挟持体１の前後の貫通孔２に締付具４を貫通して挟んでいる。
【００１２】
尚この締付具は、図５に示す如くボルト３と蝶ナット４とで成している。又、挟持体１の内側面にはフィンFを傷つけない様、緩衝用テープ５を貼り付けている。又、緩衝用テープ５はゴム、スポンジ等にて形成されている。
【図面の簡単な説明】
【００１３】
【図１】本考案品の完成図。
【図２】本考案品の組み立て図（縦からの図）。
【図３】本考案品を連結させた完成図。
【図４】本考案品の組み立て図。
【図５】本考案品の材料。
【符号の説明】
【００１４】
F  フィン
１  挟持体
２  貫通孔
３  ボルト
４  蝶ナット
５  弾性部材
【図１】
0003158315.tif 000003
【図２】
0003158315.tif 000004
【図３】
0003158315.tif 000005
【図４】
0003158315.tif 000006
【図５】
0003158315.tif 000007
(57)【要約】      （修正有）【課題】いつでもどこでも誰でも簡単に石けんが利用できるスティック容器型石けんを提供する。【解決手段】ハンドバッグやポケットに入れて持ち運びできる、口紅様のスティック型容器に柔らかい石けんを入れる。下部を回転することによって石けんを押し上げて使用する。【選択図】図１
0003158318.tif 000002
【実用新案登録請求の範囲】
【請求項１】
手軽に持ち運びできて、いつでもどこでも誰でも簡単に使うことができるスティック容器型口紅様の石けん。
【請求項２】
スティック容器型口紅様に入れる石けんは柔らかい石けんである事を特徴とする請求項１記載のスティック容器型口紅様の石けん。
【考案の詳細な説明】
【技術分野】
【０００１】
本考案は、口紅様のスティック型容器にいれる石けんに関するものである。
【背景技術】
【０００２】
石けんは個体・液体の状態で手や顔の汚れを落とす最良の方法として定着してい       るが、携帯性・利便性に欠けている。
【先行技術文献】
【特許文献】
【０００３】
【特許文献１】特開２００３−１５３８１７
【特許文献１】特開２００３−１５５０８２
【考案の概要】
【考案が解決しようとする課題】
【０００４】
従来の石けんの状態は液体か固体しかなく、固形では大きさ・容器のために持ち運    びに不便で、液体では液漏れのため固定して使用が条件であり、いつでも・どこで    も・誰でも簡単に使用するという点では便利でなかった。
【課題を解決するための手段】
【０００５】
本考案は、いつでも誰でもどこでも簡単に使用できるようにするために、ゲル化し    て柔らかくした石けんを、持ち運びに便利な口紅様のスティック型容器に入れるこ    とにより上記課題を解決するものである。
【考案の効果】
【０００６】
口紅様のスティック型容器の石けんは、小型で液漏れしないためポケット、ハンド    バッグ等で持ち運びでき、いつでもどこでも誰でも簡単に取り出して使用できる。
水で洗っただけでは落ちない爪の間の土の汚れを、作業前にこの口紅様のスティッ    ク型容器の石けんを爪の間に入れることによって、土が爪の間に入らず作業後に手    を洗うことによって簡単に水で洗い流すことができる優れたものである。
【図面の簡単な説明】
【０００７】
【図１】本考案における口紅様のスティック型容器である。
【考案を実施するための形態】
【０００８】
石けんは油脂と水酸化ナトリウムより作られるが、そのままでは硬く固まるため、      寒天の様なゲル状物性を有する物質や適度なチキソトロピー性を持つ物質を利用      して温度に関係なく、液体でも固体でもないゲル状の石けんを作る。
【０００９】
図１の口紅様のスティック型容器に石けんを入れる。
【００１０】
石けんは温度に関係なく、硬すぎず柔らかすぎず、下部を回転することによって      石けんが押し出されてくる。
【符号の説明】
【００１１】
１・・・口紅様のスティック型容器本体
２・・・回転体
３・・・石けん
４・・・ふた
【図１】
0003158318.tif 000003
(57)【要約】      （修正有）【課題】基盤の上のみで成形、修正、削り、再作業が可能となるろくろ用基盤を提供する。【解決手段】ろくろ回転盤上にもうける基盤は面内の中央部に孔を設け、その孔の周囲の少なくとも一部に上下方向の段を有すると共にろくろ回転盤と基盤をそれぞれの側端面においてボルト、ナットで固定可能とする。【選択図】図２
0003158314.tif 000002
【実用新案登録請求の範囲】
【請求項１】
ろくろ回転盤上にもうける基盤であって、該基盤は面内の中央部に孔を設け、その孔の周囲の少なくとも一部に上下方向の段を有すると共にろくろ回転盤と前記基盤をそれぞれの側端面においてボルト、ナットで固定可能としたことを特徴とするろくろ用基盤。
【考案の詳細な説明】
【技術分野】
【０００１】
本考案は、ろくろ成形の画期的発展を促す機能にかんするものである。
【背景技術】
【０００２】
従来の亀板はろくろ回転盤に粘土を用い張り付けて使うもので、大物つくりに使ったが、小中作品には使用されず、成形後、手板に移す作業がむずかしく、失敗が多かった。また、削りに使う湿台にも不便さがあった。
【考案の概要】
【考案が解決しようとする課題】
【０００３】
ビギナーからプロに近い人まで、大中小共に粘土成形したままを簡単に、そして無傷で手板に移すことが出来たら、どんなに楽しいことか。またその後、修正変形などをもう一度ろくろ上でできるとしたら、これほど心強いことはないと考えた。
【課題を解決するための手段】
【０００４】
本考案は、ろくろ回転盤上にもうける基盤であって、該基盤は面内の中央部に孔を設け、その孔の周囲の少なくとも一部に上下方向の段を有すると共にろくろ回転盤と前記基盤をそれぞれの側端面においてボルト、ナットで固定可能としたことを特徴とするろくろ用基盤である。そして同時に、各種の亀板の着脱も自在になり、制作領域全般にわたって作業効率も格段に向上し困難点も克服できた。亀板利用の湿台は中心軸がぶれていないので、再セットすればそく使えるようになった。                    
【考案の効果】
【０００５】
基盤が不動なので、作品の切り離しは亀板のままだから失敗はなくなった。作品の数だけ亀板を使えばよい。                    
【０００６】
削り迄の乾燥は亀板のままでおこない、歪み変形などの修正、再作業は元へ戻して再度ろくろ引きができる。                                                          
【０００７】
大物作品の場合、糸切りをしないで乾燥させ、ろくろに戻して削りをしてから切り離し、高台はより乾燥させてから仕上げる事もできるようになった。
【０００８】
大壷のあわせ引き４０センチ以上のものは同寸法のかめ板で挽いた物だと正確に接合できる。                                      
【０００９】
各種の湿台は固定した基盤上で作れば、一発のセットで即作業が出来、悩むことがない。また粘土が乾いて変形した場合、締め付けのゆとりで調節をしてみる。それ以上の時はカンナで修正をする。                                          
【００１０】
大物を削る湿台は亀板に洗面器やバケツなどを取り付けて使うと便利である。  
【００１１】
基盤を取り付けた回転盤はそのままでも、露出部に油性のものをぬっておけば何ヶ月でも腐食しにくい。
【図面の簡単な説明】
【００１２】
【図１】各種亀板固定基盤
【図２】図１の基盤をろくろの回転盤に固定した一部断面図
【図３】各種大亀板を取り付けた側面図
【図４】基盤の窪みにはいる小型亀板
【図５】基盤大寸法の亀板
【図６】図４の小亀板を利用した湿台で、小物、湯呑み筒などを削る
【図７】同じく袋物、花器、壷、鉢などを削るための湿台
【考案を実施するための形態】
【００１３】
各種亀板の固定可能な基盤の作成では、厚さ１センチと５ミリの合板をろくろ回転板の直径を一辺とする正方形に切り取り、四すみを１辺６センチの２等辺三角形に切り落として、変形八角形の板にする。                                    
【００１４】
５ミリの合板は中心より、１辺１８センチの正方形を切り抜き、厚さ１センチの基盤に貼り付けることで窪みをつくる。この窪みが小亀板の受け皿となる。
【００１５】
この基盤の中心軸を対称とする側面に厚さ５ミリ長さ１０センチ巾５センチの小板を取り付け孔をあける。この孔はボルトの直径より２ミリほど広くあける必要がある。それはろくろの回転盤も同様で、あそびがないと作業がし難くなるからである。
【００１６】
ろくろ回転板側面に穴を開けるとき、基盤を正確に取り付け側面取り付け板の穴から回転板に印を付け、ボルトより２ミリほど広く開けるとよい。金工ドリルで小穴から広く開けると失敗しない。そして両者をボルトナットでしめつければ完璧に基盤はろくろに固定出来たといえる。
【符号の説明】
【００１７】
１  基盤    
１−１  １０ミリ厚の基盤板           
２  小亀板受け板
３  回転盤はさみ付け板
４  亀板を基盤に固定する穴  
５  基盤固定用の穴    
６  ろくろ
６−１  ろくろ回転盤                        
７  基盤固定のボルトナット              
８  小亀板
９  基盤と同寸法の亀板
１０  小亀板に作った湿台                                                    
１１  粘土のはがれ防止材                                        
１２  基盤に固定された大型亀板（直径４０センチ程）
１３  直径４０から６０センチの亀板設置例              
【図１】
0003158314.tif 000003
【図２】
0003158314.tif 000004
【図３】
0003158314.tif 000005
【図４】
0003158314.tif 000006
【図５】
0003158314.tif 000007
【図６】
0003158314.tif 000008
【図７】
0003158314.tif 000009
(57)【要約】      （修正有）【課題】テキストのお手本をなぞって、マンガの編集までできるマンガライティングシートを提供する。【解決手段】ＬＥＤ、ＥＬランプ、薄膜形ＥＬ又は有機ＥＬを、セルロイド合成樹脂又はガラスでサンドイッチ構造にする。【選択図】図１
0003158344.tif 000002
【実用新案登録請求の範囲】
【請求項１】
電池を含む電源で発光するＬＥＤ又はＥＬランプ、薄膜形ＥＬ、有機ＥＬをセルロイド合成樹脂又はガラスでサンドイッチ構造にしたマンガライティングシート。
【考案の詳細な説明】
【技術分野】
【０００１】
本考案は、従来の実用ボールペン字講座としてのテキストのお手本を直接なぞってマネるレッスンライティングシートに関する。
【背景技術】
【０００２】
日本書道協会株式会社ユーキャンの実用ボールペン字講座のテキストがあります。
【考案の開示】
【考案が解決しようとする課題】
【０００３】
しかしながら、実用ボールペン字講座のテキストは、クセ字をキレイにするならなぞってマネる簡単レッスン約半年間レッスン終了分までのテキストに限られるという欠点がある。
【０００４】
本考案は上記実情に鑑みてなされたものであり、なぞってマネる簡単レッスンの効果を延長してテキスト以外のマンガの編集まで応用できる対策としている。
【課題を解決するための手段】
【０００５】
上記目的を達成するため考案は、テキスト以外のマンガの編集まで応用できる対策のマンガライティングシートとして次の構成を含むことを特徴としている。
なぞってマネるマンガ紙の上になぞってできるマンガの紙を重ね光源であるＬＥＤ、ＥＬランプ、薄膜形ＥＬ、有機ＥＬを電源（電池の場合もある。）により下から光透過させなぞってマンガの編集まで応用できるよう光源の薄片部を透明シート（セルロイド又は合成樹脂、ガラス）でサンドイッチにした構成である。
【考案の効果】
【０００６】
本考案により、なぞってマネる簡単レッスンの効果を延長してテキスト以外のマンガの編集まで応用できる対策にできる。
【図面の簡単な説明】
【０００７】
【図１】本考案のマンガライティングシートの回路構成図である。
【図２】本考案のマンガライティングシートの断面図（厚み方向）である。
【考案を実施するための最良の形態】
【０００８】
本考案の実施の形態の一例について図面を参照しながら説明する。
マンガライティングシートは図１、に示すように、ＬＥＤ又はＥＬランプ、薄膜形ＥＬ、有機ＥＬ、１、を電源（電池の場合も含む）２、で光源点灯し、これらをサンドイッチにしている透明シート（セルロイド、合成樹脂又はガラス）３、の上にマンガとなぞって作る紙を重ねてマンガの編集までする。
【符号の説明】
【０００９】
１        ＬＥＤ又はＥＬランプ、薄膜形ＥＬ、有機ＥＬ
２        電源、電池の場合もある。
３        透明シート（セルロイド、合成樹脂又はガラス）
【図１】
0003158344.tif 000003
【図２】
0003158344.tif 000004
(57)【要約】      （修正有）【課題】子供を乗せる前シートを低位置に設けるための構造を提供する。【解決手段】ハンドルを前フォークのセンターチューブ、ハンドルポストを介さず、前フォークのクラウン部から直に立ち上げ、前シートをセンターチューブの上部に直に取付ける。前シート位置を低位置におくことで重心を下げることができ、前部に子供を乗せても走行安定性が確保できる。【選択図】図１
0003158536.tif 000002
【実用新案登録請求の範囲】
【請求項１】
ハンドルを前フォークのクラウン部から直接立ち上げ、前シートを前フォークのセンターチューブ上部に直に取付けることで前シートの低位置を得る構造。
【考案の詳細な説明】
【技術分野】
【０００１】  自転車の三人乗りが解禁され、前部にも子供を乗せられるようになった。
子供を乗せる前シートを低位置に設けるための構造に関するものである。
【背景技術】
【０００２】  走行安定性の点から重心を下げるため、子供はできるだけ低い低い位置に乗せることが望まれる。
従来、前シートの低位置化を図るために前車輪の径をできるだけ小さくし、前フォークのセンターチューブ一杯までハンドルポストを下げ、その上にハンドルと前シートを取付ける構造をとっていた。
【考案の開示】
【考案が解決しようとする課題】
【０００３】  前車輪の径は車のジャイロ効果に影響をもたらすため、それ程小さくはできない。
前フォークのセンターチューブ一杯までハンドルポストを下げ、その上にハンドルと前シートを取付ける構造では寸法的な制約があり、シート位置を余り下げることはできない。
【課題を解決するための手段】
【０００４】  ハンドルは前フォークのセンターチューブ、ハンドルポストを介さず、フォークのクラウン部から直に立ち上げ、前シートをセンターチューブの上部に直に取付ける。
【考案の効果】  本考案により前シート位置を低位置におくことで重心を下げることができ、前部に子供を乗せても走行安定性が確保できる。
【考案を実施するための最良の形態】
【考案の構成】
【０００６】−１  ハンドル（３）はハンドルポスト（４）を介さず、［図１］に示すように前フォーク・クラウン部（６）から直に立ち上げる。
−２  前シート（２）は前フォークのセンターチューブ（５）の上部に直に取付ける。
【図面の簡単な説明】
【０００７】
【図１】  本考案の実施例でハンドル（３）を前フォーク・クラウン部（６）から直に立ち上げ、前シート（２）を前フォークのセンターチューブ（５）の上部に直に取付けた状態を示す。
【図２】  本考案の実施例で前、後シート（２，９）に子供を乗せ、ペダル漕ぎする状態を示す。
【図３】  従来例で前シート（２）はハンドルポスト（４）を介し、ハンドル（３）上に取り付けられ、シート（２）に子供を乗せ、ペダル漕ぎする状態を示す。
【符号の説明】
【０００８】    １  前車輪
２  前シート
３  ハンドル
４  ハンドルポスト
５  前フォーク・センターチューブ
６  前フォーク・クラウン
７  ヘッドチューブ
８  サドル
９  後シート
【図１】
0003158536.tif 000003
【図２】
0003158536.tif 000004
【図３】
0003158536.tif 000005
(57)【要約】【課題】天板付き家具に容易に取り外しができるスクリーンパネルを提供する。【解決手段】スクリーンパネル１に、アーム型緊締金具２を設け、天板付き家具との取り外しが容易に行うことができるスクリーンパネルを特徴とする。【選択図】図１
0003158534.tif 000002
【実用新案登録請求の範囲】
【請求項１】
天板付き家具の天板上方の空間を区画するスクリーンパネルにアーム型緊締金具を設け容易に取り外しができるスクリーンパネル。
【考案の詳細な説明】
【技術分野】
【０００１】  本考案は、天板付き家具に取り付けるスクリーンパネルに関し、特に、取り外しが容易にできるスクリーンパネルの構造に関する。
【背景技術】
【０００２】  従来、天板付き家具にパネル支持装置を介してスクリーンパネルを支持させ、天板下方から調整ネジを取り付けてパネル支持装置に緊締力を加える態様が広く用いられている。
また、スクリーンパネルを移動する場合にはプラスドライバーなどの工具を必要とし、天板下方からしゃがみこんで作業を行う必要があった。
【考案の開示】
【考案が解決しようとする課題】
【０００３】  これは次のような欠点があった。
（イ）従来、スクリーンパネルを天板付き家具に取り付ける場合、プラスドライバーな        どの工具が必要である。
（ロ）パネル支持装置に緊締力を加えるため調整ネジを天板下方からしゃがみこんで作        業を行う必要がある。
（ハ）既存の天板付き家具の天板の厚さがさまざまなため、パネル緊締装置が天板下方        に出っ張ってしまい、膝などをぶつけることがある。
本考案は、以上のような欠点をなくすためになされたものである。
【課題を解決するための手段】
【０００４】  （イ）天板付き家具の天板上方の空間を区画するスクリーンパネル（１）と、天板付き        家具の天板下面に添接するアーム型緊締金具（２）を装着することで、プラスド        ライバーなどの工具が必要としない。
（ロ）スクリーンパネル（１）の緊締装置をアーム型緊締金具（２）にすることで、し        ゃがみこんで作業を行う必要がなくなった。
（ハ）スクリーンパネル（１）の側面に調整穴を設け、アーム型緊締金具（２）を板状        ナット（３）とネジ（４）により装着固定することで、天板付き家具の天板の厚        さを調整することができる。また、アーム型緊締金具（２）が常に天板下面に添        接することで天板下方に出っ張りが最小限となった。
本考案は、以上の構成によりなるスクリーンパネルである。
【考案の効果】
【０００５】  本考案に係るスクリーンパネルは、アーム型緊締金具（２）を設け天板付き家具との取り外しが容易に行うことができるとともにスクリーンパネル（１）とアーム型緊締金具（２）が板状ナット（３）とネジ（４）により装着固定することで一体型となり、部品の紛失を防ぐことができる。
また、天板付き家具の天板の厚さを調整することができるので複数の種類の天板付き家具に取り外しすることができる。
【考案を実施するための最良の形態】
【０００６】  本考案の実施の形態の一例としてスクリーンパネルについて、図１乃経図４を参照しながら説明する。
本考案のスクリーンパネルは、図４に示すようなスクリーンパネル（１）と緊締力を加えるアーム型緊締金具（２）と板状ナット（３）とネジ（４）から構成されている。【０００７】  スクリーンパネル（１）の側面に調整穴を設け、アーム型緊締金具（２）を板状ナット（３）にネジ（４）で装着固定されている。スクリーンパネル（１）とアーム型緊締金具（２）の装着固定位置を変えることで、天板付き家具の天板の厚さを調整する。【０００８】  アーム型緊締金具（２）のアーム部分が、天板付き家具の天板下面を常に添接することで、スクリーンパネル（１）と天板付き家具を支持している。【０００９】  試験会場や確定申告など、カンニングなどの不正行為の防止やプライバシーの保護を必要とする空間などに取り付ける、取り外しが容易に行えるスクリーンパネルである。
【図面の簡単な説明】
【００１０】
【図１】本考案の天板付き家具に取り付けるスクリーンパネルの使用状態を示す斜視図である。
【図２】同使用状態に係るスクリーンパネルの正面図である。
【図３】同使用状態に係るスクリーンパネルの側面図である。
【図４】同使用状態に係るスクリーンパネルの分解斜視図である。
【符号の説明】
【００１１】  １  スクリーンパネル
２  アーム型緊締金具
３  板状ナット
４  ネジ
【図１】
0003158534.tif 000003
【図２】
0003158534.tif 000004
【図３】
0003158534.tif 000005
【図４】
0003158534.tif 000006
(57)【要約】      （修正有）【課題】ガス台上の各種形状の五徳を一体化し、五徳の下の掃除が簡単に出来る様にした便利五徳を提供する。【解決手段】コンロ部分の周り１を空けて、格子模様２に区切った四角形３の便利五徳１０の後方にガス台の周りの壁に固定する金具４を付け、前方の両端にコンロの高さに触れない支え台５を付ける。この場合壁に固定する金具４と、前方の両端に付ける支え台５の位置関係は平行である。また、金具４を取り付けた壁の上部に、便利五徳１０の前方を持ち上げた位置に止め金具６を設置する。【選択図】図２
0003158552.tif 000002
【実用新案登録請求の範囲】
【請求項１】
分割されている五徳を、コンロの回り部分のみスペースを空けて一体化し、一辺をガス台の周りの壁に取り付けることにより、自由に上げ下げができ、掃除が簡単にできる便利五徳。
【考案の詳細な説明】
【背景技術】
【０００１】  ガス台の上に乗せる五徳は、コンロ一つ一つに合わせるタイプで、五徳の無いところには他のやかんや鍋などを置くことができず、無駄なスペースが生じます。
また、お湯や煮物の噴きこぼれなどが五徳の下に入り込み、五徳一つ一つの掃除にも手間がかかり、放って置くとサビも出ます。
これらのリスクを排除する便利五徳を考案いたしました。
【考案を実施するための最良の形態】
【０００２】  コンロ部分の周りを空けて１、格子模様２に区切った四角形３の便利五徳１０の後方にガス台の周りの壁に固定する金具４を付け、前方の両端にコンロの高さに触れない支え台５を付ける。この場合壁に固定する金具４と、前方の両端に付ける支え台５の位置関係は平行である。また、金具４を取り付けた壁の上部に、便利五徳１０の前方を持ち上げた位置に止め金具６を設置する。
【図面の簡単な説明】
【０００３】
【図１】本考案にかかる便利五徳の全面図。
【図２】本考案にかかる便利五徳の持ち上げ図。
【符号の説明】
【０００４】便利五徳                      １０
コンロ周りの空きスペース        １
格子模様                        ２
四角形                          ３
壁に固定する金具                ４
前方の支え台                    ５
止め金具                        ６
【図１】
0003158552.tif 000003
【図２】
0003158552.tif 000004
(57)【要約】      （修正有）【課題】汗をかいて肌着が濡れた時でも、肌着を着替えなくても、健康を害することがない肌着を提供する。【解決手段】吸水性に優れ、濡れても肌にベト付かないタオル地の特性を利用して、肌着１の後ろ身頃の内側にタオル地の布を取り付ける。タオル地の取り付けの方法は、タオル地の布２を貼り付けるか縫い付ける方法又は肌着の生地を内側のみタオル地に加工するなどの方法がある。該肌着は、背中に接触する部分がタオル地になっているため、汗をかいても肌着が背中にベトつく嫌悪感がなく、さらにそのまま着続ければ体温で汗が乾きしかも風邪をひくほど背中が冷えることもない。又、タオル地が断熱効果に優れているため、背中の冷えを防ぎ急激な気温の変化から身体を守り冬山でも防寒効果を発揮する。【選択図】図１
0003158554.tif 000002
【実用新案登録請求の範囲】
【請求項１】
後ろ身頃の内側がタオル地になっている肌着。
【請求項２】
後ろ身頃の内側にタオル地の布を縫い付けた肌着。
【考案の詳細な説明】
【技術分野】
【０００１】  本考案は、人が汗をかいた時、汗で濡れた肌着を着替えなくても健康を害することがないように、肌着の後ろ身頃の内側がタオル地になっている肌着に関する考案である。
【背景技術】
【０００２】  地球の温暖化で汗をかくことが多くなったが、ひどく汗をかいたとき肌着がびしょ濡れになりそのまま放置しておくと背中が冷えて風邪ひきの原因になるので、下着を着替えるか背中にタオルを入れて汗を吸い取るなどの対応をしているが適切な対策はとられていない。
【考案の開示】
【考案が解決しようとする課題】
【０００３】  本考案は、ひどく汗をかいた時に、肌着を着替えるか肌着が乾くまで背中にタオルを入れておくという不便さを回避することとあわせて、ファッション性を保つために外見に影響させない肌着に関する考案である。
【課題を解決するための手段】
【０００４】  本考案は、吸水性に優れ、濡れても肌にベト付かないタオル地の特性を利用して、肌着の後ろ身頃の内側にタオル地の布を取り付けたものである。  タオル地の取り付けの方法は、タオル地の布を貼り付けるか縫い付ける方法又は肌着の生地を内側のみタオル地に加工するなどの方法がある。
【考案の効果】
【０００５】１．  本考案の肌着は、背中に接触する部分がタオル地になっているため、汗をかいても肌着が背中にベトつく嫌悪感がなく、さらにそのまま着続ければ体温で汗が乾きしかも風邪をひくほど背中が冷えることもない。２．  本考案の肌着は、タオル地が断熱効果に優れているため、背中の冷えを防ぎ急激な気温の変化から身体を守り冬山でも防寒効果を発揮する。３．  本考案の肌着は、タオル地を後ろ身頃の内側に付けるためその外見を損なうことがない。
【考案を実施するための最良の形態】
【０００６】  図１記載の通り。
【産業上の利用可能性】
【０００７】  本考案の肌着は、技術的にはとりあえず後ろ身頃にタオル地の布を縫い付ける方法をとれば短期間でかつ低コストで製造できる。さらに、後ろ身頃の内側だけをタオル地に加工できる技術が完成すれば、ファション性の高い製品の製造が可能となり市場の需要は一層多くなると思われる。一方、消費者の観点からも、本考案の肌着は、一日中着続けても背中に大きな違和感がないうえに吸湿性が高いので着心地がよく、更にファッション性を損なわないため温暖化の進む今日では需要は増えていくと思われる。  また、本考案による肌着は、身体を動かすことが多い児童生徒、冷房や暖房が効いた建物に出入りする会社員、その他登山家などから風邪を予防できる肌着として需要を伸ばしていくものと思考される。
【図面の簡単な説明】
【０００８】
【図１】は本考案の後ろ身頃にタオル地を取り付けた肌着の全体図
【符号の説明】
【０００９】  符号１    肌着の外見図  符号２    後ろ身頃の内側にとりつけたタオル地の部分
【図１】
0003158554.tif 000003